Podtech/llm-jp-corpus-v4-ja_patent huggingface dataset:
(57)【要約】【課題】上下左右どの方向からでも自転車を収納することが出来て、なかの自転車が袋の外からでも見え自転車の必要部分だけを袋から露出させて使用出来る自転車の袋。また手で持つことも肩から掛ける事も出来る自転車の袋。【解決手段】完成自転車がそのまま収納できる形状の自転車袋を糸（２）を格子状に強化ラミネートした透明のビニー素材（１）で仕立て周囲のマチ（３）には複数のスライダー（７）を組み込んだファスナー（６）を配し、調節可能な取っ手、肩掛け兼用のテープ（５）を本体に設けた８箇のバックル（４）で係留した中が見える自転車の袋。【選択図】図１
2011131869.tif 000002
【特許請求の範囲】
【請求項１】
本発明の自転車を分解しないでそのまま収納できる輪行袋は両側面の殆ど若しくは全部に格子状に補強の糸（２）を入れた透明のビニール（１）を用いて中の自転車が見える様にしたことを特徴とする中が見える自転車の袋。
【請求項２】
上記請求項１の自転車の袋は本体の周囲マチ（３）全部に沿って長いファスナー（６）が廻らされ全開にすれば自転車を上下左右どの方向からでも入れる事が出来ることを特徴とする中が見える自転車の袋。
【請求項３】
上記請求項１、２の自転車の袋は開閉する為のスライダー（７）が２個以上組み込まれ収納した自転車のサドルやハンドル、車輪等の複数箇所が必要な都度最小限度を露出させて袋にいれたままでも移動できることを特徴とする中が見える自転車の袋。
【請求項４】
上記請求項１、２、３の自転車の袋は両側面即ち本袋では表面と裏面の上下左右８箇所にテープ（５）の長さを調節できるコキ部品（４）が備えられ持ち上げるためのハンドル用テープの長さが変えられるだけでなく自転車の総重量を８点に分散して保持できることを特徴とする中が見える自転車の袋。
【発明の詳細な説明】
【技術分野】
【０００１】スポーツ、レジャー、健康、或いは趣味として使用する自転車の保管、搬送する為の袋に関する。
【背景技術】
【０００２】スポーツ自転車の袋は不使用時の軽量化と公共乗り物への持込時の小型便利性を優先し通常自転車を分解して輪行袋に収納する。  収納した中身の自転車は袋の色、形、ロゴといった外様でしか判断することができない。
例えば自転車競技に参加する場合前もって車輪回りの調整をする。
特にリアデイレイラーの調整は極めて高度で微妙である。しかし参加コースの現地に集合する為に自転車を一旦分解して輪行袋で運ばなければ成らない。
この結果折角仕上げたギアの相性が狂ってしまい微妙な仕上がりが失われてしまう。  また保管に付いても自転車は嗜好性が高く自分の部屋に置くケースが多いが塵や埃が付いて劣化の原因と成ったり邪魔に成ったりする。
ベランダや物置、軒先に置く事も有るが雨や湿気、粉塵の影響を受け錆びや変調の元になる。
【発明の開示】
【発明が解決しようとする課題】
【０００３】自転車を収納する際分解する事無く袋の上下左右どの方向からでもそのまま収納出来て、中に入れた自転車が常に外から認識でき、袋に入れたままでも車輪の接地部分のみ露出して自走できる自転車の袋。
また袋は運搬用の取っ手を有し取っ手となるテープの長さが長短の調節が可能で手で持つことも肩に掛けることもできる。
不使用時には袋に入れたまま保管できるので塵や埃、湿気から自転車を保護出来る。搬送用に装備した調節可能なハンドルは部屋の鴨居に引っ掛けて趣味の自転車をオブジェとして常に見る事が出来る。
【課題を解決するための手段】
【０００４】本発明の自転車を入れる袋の外形を１枚のベニヤ板の４角をアールに断裁した様な形に見立て側面即ち表面と裏面に格子状の補強の糸（２）を入れた透明のビニール（１）を使い中が透けて見える。
ベニヤ板の厚みにあたる周囲マチ（３）全部にはファスナー（６）が廻らされスライダーが複数組み込まれている。
この結果袋の上下左右どこからでも自転車を入れる事が出来、収納した自転車の必要部分を２個のスライダー（７）の間から露出させれば袋に入れたままその部分だけを使用できる。例えばタイヤの両輪を露出し同時に２個のスライダーの間からサドルを露出させれば袋に入れたままでも露出部品が使用できる。
また持ち手を係留するテープ調節バックルは自転車のタイヤが地面に接地する表裏４箇所と重心線から等間隔のこれより狭い上部位置４箇所の表裏合計８箇所に設けられ、このバックルにテープを通すことで手に持ったり肩に掛けたり出来る長さに調節できる。
また袋に入れた自転車の総重量はこの８個のバックル（４）依って保持される。
周囲マチ（３）に廻らした長いファスナー（６）に２個ずつセットで頭合わせに組み込んだスライダー（７）２個を車輪、サドル、ハンドルなど使用する部位に挟んで開けばタイヤ２本、タイヤとサドルといった複数の部位使用が可能に成る。
保管の際は周囲のファスナー（６）を閉めれば袋を密閉できて塵、埃、湿気の影響を受けにくい。
【発明の効果】
【０００５】エコ志向の追い風を受けて今やスポーツ自転車は大きなブームと成った。
スポーツ自転車の価格に上限はないとも云われる。
競技やイベントではレアー物等自分の自慢の自転車を人に見せたいとの心理が働き本発明中が見える自転車袋は有効である。
【発明を実施するための最良の形態】
【０００６】本発明自転車の袋のマチ（３）に沿って周囲に廻らされたファスナー（６）を全開にすると上下左右何れの方向からでも自転車に被せられる。ファスナーを閉めて取っ手テープ（５）を係留バックル（４）８個に通して必要な長さに調節してハンドルとして持ち運びすることができる。  ２個の頭合わせスライダーを開いて車輪を露出させれば袋に入れたままでも自転車を移動できる。
【図面の簡単な説明】
【０００７】
【図１】中が見える自転車の袋右側面図である。
【図２】中が見える自転車の袋上面図である。
【図３】車輪を露出した右側面図である。
【符号の説明】１．自転車袋側面の透明ビニール
２．透明ビニールの補強糸
３．マチ
４．コキバックル
５．取っ手テープ
６．ファスナー
７．スライダー
８．収納した自転車
９．取っ手
【図１】
2011131869.tif 000003
【図２】
2011131869.tif 000004
【図３】
2011131869.tif 000005
(57)【要約】 【課題】加工位置表示の実線を点線や破線に変えて直線、曲線、円を描くることで線の内側と外側を正確に判断し、精度を見極めることができる研削方法と研削盤。破線にすることで0.025mm〜0.0083mmの加工精度を熟練工でなくとも、切削を高い精度でミクロン単位の微細研削することが可能な研削方法と研削盤を提供する。【解決手段】経験が少ない未習熟な作業者でも研削作業を手動運転で以って行うことができる。それには研削盤の表示画像による寸法測定を行い、加工する時に加工画像をリアルタイムに投影する。コンピューターによる映像の読み込みと研削部分の十字線の中心に加工寸法を重ね画像で直線ではなく破線で描くことで、内側の線と外側の線を手動運転で簡単に調整できるようになる研削盤画像処理装置。【選択図】図１
2011131311.tif 000002
【特許請求の範囲】
【請求項１】
40倍から120倍ズームレンズ、砥石、リング照明、表示ディスプレイ、ワーク、ＣＣＤカメラ、照明アンプからなる研削盤とパソコン、制御ボックス、画像計測ソフト一式からなる制御装置。
【請求項２】
表示ディスプレイに十字線の中心部に加工寸法Ｒを点線、破線で描くことで、その点線、破線の隙間に加工が進んだ時に、線の内側と外側では加工精度が変わるために、実線を点線、破線にすることにより加工する位置を高い精密な精度で正確に見極める画像処理方式。
【請求項３】
研削盤は手作業で研削作業をすることにより安価に製作できる制御装置。
【請求項４】
経験の浅い作業者でも手動式または自動式研削盤を使えるようにして熟練工と同じ精度で研削する制御装置。
【請求項５】
研削盤のCCDカメラ位置を上部に設置してワークと平行移動させることで研削作業を中断することなく、削り位置の状態を確認できる制御装置。
【発明の詳細な説明】
【技術分野】
【０００１】
本発明は、研削盤のコンピューター表示画像による寸法測定と加工時におけるディスプレイ画像投影に関する。
【背景技術】
【０００２】
従来からパソコンによる研削盤の画像計測検出ツールを使って研削部分にCCDカメラを使い拡大縮小表示して液晶ディスプレイ表示装置に写し出す方法は既に用いられている。
【０００３】
従来、熟練者でなければ手動切削盤を使いこなせないという課題があった。経験の浅い作業者でも切削盤を使えるようにして、熟練工と同じ精度で研削できないかという問題がある。
【０００４】
従来、コンピューターで切削位置を実線でもって直線や曲線、円を表示する方法は、既に実用化されているが、未熟練者には実線部分を研削する際に実線の内側と外側の線上を研削する場合、内側の線まで研削したり外側の線を研削したりする。その研削した部分を拡大表示して見るとミクロン単位で蛇行して削り過ぎ、削り足りないなどのバラツキになるという問題がある。
【先行技術文献】
【特許文献】
【０００５】
【特許文献１】特開２００８−１４９３９８号
【特許文献２】実用新案登録番号第３１３２３１５号
【発明の概要】
【発明が解決しようとする課題】
【０００６】
従来の改善策として、パソコンによる、研削盤のソフトは既に用いられている。研削部分をCCDカメラなど使ってメモリーに取り込み、拡大、縮小して液晶モニター表示装置に写し出す方法は既に用いられているが、コンピューターで切削部分を直線や曲線や湾曲線で表示する部分を点線、破線に変更することで、線の内側と外側のミクロン単位の微細加工を改善する画像装置とその表示手法である。
本考案は、熟練者の研削作業を経験が少ない作業者であっても手動研削装置を運転可能にする。作業効率を良くし、微細加工を機能化した研削盤画像処理を特徴とする。
【課題を解決するための手段】
【０００７】
請求項１記載の本発明の40倍から120倍ズームレンズ、砥石、リング照明、表示ディスプレイ、ワーク、ＣＣＤカメラ、照明アンプからなる研削盤、とパソコン、制御ボックス、画像計測ソフト一式からなる制御装置を特徴とする。請求項２記載の表示ディスプレイに十字線の中心部に加工寸法Ｒを点線、破線で描くことで、その点線、破線の隙間に加工が進んだ時に、線の内側と外側では加工精度が変わるために、実線を点線、破線にすることにより加工する位置を高い精密な精度で正確に見極めることができることを特徴とする。請求項３記載の本発明は、研削盤は手作業で研削作業をすることにより安価に製作できることを特徴とする。請求項４記載の経験の浅い作業者でも手動式または自動式研削盤を使えるようにして熟練工と同じ精度で研削することができることを特徴とする。請求項５記載の研削盤のCCDカメラ位置を上部に設置してワークと平行移動させることで研削作業を中断することなく、削り位置の状態を確認できることを特徴とする。
【発明の効果】
【０００８】
本発明の効果は、従来の実線で描くことを変更して点線や破線で描く、その範囲は
１ｍｍ〜９ｍｍの範囲を倍率４０倍〜１２０倍に拡大表示する。微細加工範囲は
0.025mm〜0.0083mmの微細加工精度である。誤算範囲は±10μ〜±30μ範囲で研削
作業を迅速におこなえる。
【発明を実施するための形態】
【０００９】
本発明第１の実施の形態は、上部ＣＣＤカメラと４０倍から１２０倍ズームレンズ
を下部ワーク加工位置の研削移動距離を上下合わせて同時に平行移動させることに
より、補正作業を何度も繰り返しながら寸法線に正確に合わせていく作業を作業者
は研削継続しながら目視確認を容易に実施できるようにする。
【００１０】
本発明第２の実施の形態は、表示ディスプレイに十字線の中心部に加工寸法Ｒを点
線、破線で描くことで、その点線、破線の隙間に加工が進んだ時に、線の内側と外
側では加工精度が変わるために、実線を点線、破線にすることにより加工する位置
を高い精密な精度で正確に見極めることができることができる。
【００１１】
本発明第３の実施の形態は、熟練工は研削位置の線上を正確に迅速に作業できるが
本発明の手動式研削盤にすることでより安価に製作できる。
【００１２】
本発明第４の実施の形態は、経験の浅い作業者でも手動式または自動式研削盤を使
えるようにして熟練工と同じ精度で研削することができる。
【００１３】
本発明第５の実施の形態は、作業中に研削位置を動かすことなく現対象物の研削状
態を確認することができる。
【産業上の利用可能性】
【００１４】
加工位置表示の実線を点線や破線に変えて直線、曲線、円を描くることで点線の内
側と外側を正確に判断し、作業中に研削位置を動かすことなく現対象物の研削状態
の精度を見極めることができる研削方法と研削盤を提供することができる。
【図面の簡単な説明】
【００１５】
【図１】研削指示部の表示図
【図２】研削盤の機械構成図
【符号の説明】
【００１６】
１  加工する点線・破線表示Ｒ画像    ２  十字線    ３  加工寸法Ｒの線の外側
４  加工寸法Ｒの線の内側    ５  加工対象物    ６  表示ディスプレイ
７  CCDカメラ    ８  研削盤    ９  制御装置
【図１】
2011131311.tif 000003
【図２】
2011131311.tif 000004
(57)【要約】【課題】本特許は、洋式便器に男性が立ったまま放尿すると、小水が便器内の水面に当たり其の飛沫が飛び散り外部の床を汚す等のため、主婦に座って小用をと言われるが、男の沽券に係わると中々承知しません。【解決手段】上面に突起５又は毛羽立７及びスポンジ状のペーパー６．８に、二三分水面に浮かんで溶ける浸透性及び水溶性のペーパー６．８を、洋式便器１の水面４に浮かべ、ペーパー６の突起５又は羽毛立７に放尿することで、小水が便器外部の床に飛散する事を防ぐ、洋式便器の飛沫防止用のペーパー。また各ペーパーに、リトマス試験紙の役割を持たせれば体調を調べる事が出来る。【選択図】図１
2011131030.tif 000002
【特許請求の範囲】
【請求項１】
上面に隙間なく突起又は羽毛立たせ、若しくはスポンジ状の二三分は水面に浮かんで溶ける浸透性のペーパーを洋式便器の水面に浮かべ、ペーパーの突起面又は羽毛立たせた面に放尿する事により其の飛沫を防ぐ、洋式便器の飛沫防止。
【請求項２】
請求項１のペーパーに、リトマス試験紙の役割を持たせた請求項１記載の、洋式便器の飛沫防止。
【請求項３】
ボンベより泡を放出し、泡を水面に浮かべ、泡に放尿する事により飛沫を防ぐ、洋式便器の飛沫防止。
【発明の詳細な説明】
【技術分野】
【０００１】本特許は、洋式便器に男性が放尿したとき、便器内の水面から小水が飛散し、床に飛び散るのを防ぐ事を目的とする。
【背景技術】
【０００２】従来男性が、洋式便器で立ったまま放尿すると、目には見えないが飛沫が床に飛散するため、家庭の主婦からの苦情が男性に寄せられる。
【特許の開示】
【特許が解決しようとする課題】
【０００３】主婦が男性に、座って小用をと言われるが、男の沽券に係わると中々応じる気配がない。男性が立ったまま放尿しても、床に飛沫が飛散させないようにする。
【課題を解決するための手段】
【０００４】本特許は、洋式便器の水面に二三分浮かんで溶ける浸透性のペーパーを浮かべる。
隙間なく突起又は毛羽立たせ若しはスポンジ状のペーパーの上面に、小水を放尿する。
このペーパーを洋式便器の水面に浮かべ、ペーパー上に放尿するが、ともに上面が平らでないため、放尿した小水は突起又は毛羽立ち若しくはスポンジ状に当たり、飛散する事がない。またボンベより泡を便器の水面に放出し泡で水面を覆うため、跳ね返りがなく飛沫が床に広がらないのと、ペーパーにリトマス試験紙の役割を持たせる事で、体の状態を調べる事が出来る。このペーパーは浸透性及び水溶性であるが、水面に浮かんで溶けるまで二三分の時間を持たせてあるため、用便中に溶け落ちることがない。
【特許の効果】
【０００５】上記のようなペーパー又は泡を洋式便器の水面に浮かべ、男は堂々と立ち放尿する事が出来、主婦を悩ませた飛沫の飛散が防げる。
【特許を実施するための最良の形態】
【０００６】洋式便器の水面に、上記のペーパー又は泡を浮かべることで、小水の飛沫が床に飛び散ることがない。主婦に言われて便座に座って使用する男性がいると聞くが、此れ等を使用する事で男の威厳が保たれる。
【実施例】
【０００７】以下、添付図面に従って実施例を説明する。
洋式便器１の蓋２と便座３を開き、水面４に突起５を設けた突起状のペーパー６又は毛羽立７の羽毛立たせたペーパー８若しくはスポンジ状のペーパーを水面４に浮かべる。
請求項２では各ペーパー６，８にリトマス試験紙の役割を持たせれば、放尿時の体調を調べる事が出来る。
便器１の水面４に放尿しても小水が水に薄められるため、色が分からず体調を調べる事が出来ない。
請求項３ではボンベより泡９を水面４に放出し、泡９に放尿する事で飛沫を防ぐ。
男性が立ったまま放尿すると、小水がペーパー６の突起５又は毛羽立７したペーパー８に当たるが、ペーパー６，８の上面が平らでないためとスポンジ状のため飛沫が飛散することがない。各ペーパーは水溶性ではあるが、沈まないよう二三分の時間を持たせる。
【図面の簡単な説明】
【０００８】
【図１】本特許のペーパーを使用した洋式便器の側面図
【図２】本特許のペーパーを浮かべた洋式便器の平面図
【図３】本特許のペーパーの平面図
【図４】ペーパーに突起を設けた側面図
【図５】ペーパーを羽毛立たせた側面図
【図６】スプレーボンベより泡を放出し水面を覆った側面図
【符号の説明】
【０００９】１    洋式便器
２    蓋
３    便座
４    便器内の水面
５    突起
６    突起状のペーパー
７    毛羽立ち
８    毛羽立たせたペーパー
９    泡
【図１】
2011131030.tif 000003
【図２】
2011131030.tif 000004
【図３】
2011131030.tif 000005
【図４】
2011131030.tif 000006
【図５】
2011131030.tif 000007
【図６】
2011131030.tif 000008
(57)【要約】【課題】従来のトスバッテングは、二人でおこない、一人がボールを投げ、投げられたボールを後の一人がそのボールを撃って、打撃練習をしていた。【解決手段】この二人でおこなっていたトスバッテングを、一人で打撃練習ができる様に、ボール受けホッパー、導管、曲げ自在ホース、吊り掛け具、吊り輪、吊り紐、を有するトスバッテング用具を用いて解決手段とするものである。【選択図】図１
2011131028.tif 000002
【特許請求の範囲】
【請求項１】
ボール受けホッパー、導管、曲げ自在ホース、吊り掛け具、吊り輪、吊り紐、を有するトスバッテング用具。
【発明の詳細な説明】
【技術分野】
【０００１】本発明は、野球又はソフトボール打撃練習を一人で出来る、重力落下トスバッテング用具に関するものである。
【技術背景】
【０００２】従来のトスバッテングは、二人でおこない、一人がボールを投げ、投げられたボールを後の一人がそのボールを撃って、打撃練習をしていた。
本発明は、一人で打撃練習ができる、トスバッテング用具を考案したもので、打撃練習者がボール軌道１、の方向にボールを投げ、ボール受けホッパー２、に入れ、導管３、に入り、重力落下をし、曲げ自在ホース４、を通過して打撃練習者の方へ飛んで行き、これを打撃練習者が打撃練習をするものである。
ボールの方向を変化させる為に、曲げ自在ホース４、を吊り紐７、を吊り掛け具５、に掛けボールが飛び出す高低を調整する為に吊り輪６、を数個設けてボールの飛び出す高低を調整する。
【先行技術文献】
【特許文献】
【０００３】
【特許文献１】特許出願公開番号  特開２００７−２１５６３２
【発明の概要】
【発明が解決しようとする課題】
【０００４】従来のトスバッテング用具は複雑で大型、実用的で無く、高価であった。
【課題を解決するための手段】
【０００５】本発明が解決しようとするトスバッテング用具は、簡単で小型、実用的で、安価にするものである。
【発明の効果】
【０００６】従来のトスバッテングは、二人でおこない、一人がボールを投げ、投げられたボールを後の一人がそのボールを撃って、打撃練習をしていた。
本発明は、野球又はソフトボール打撃練習を一人で出来る、重力落下トスバッテング用具であり、簡単で小型、実用的で、安価であり発明の効果がある。
【図面の簡単な説明】
【０００７】
【図１】トスバッテング用具を使用し、一人で打撃練習をしている図
【発明を実施するための最良の形態】
【０００８】本発明のトスバッテング用具は、従来の物に比べ、構造が簡単で、小型、実用的、材料が安価のため需要側と供給側は、最良の形態となる。
【実施例】
【０００９】以下、添付図面で実施例を説明する。
図１は、打撃練習者がボール軌道１、の方向にボールを投げ、ボール受けホッパー２、に入れ、導管３、に入り、重力落下をし、曲げ自在ホース４、を通過して打撃練習者の方へ飛んで行き、これを打撃練習者が撃って、打撃練習をするものである。
【産業上の利用可能性】
【００１０】運動器具メーカーが、本トスバッテング用具を利用すれば、大きく貢献し利益を生む可能性がある。
【符号の説明】
【００１１】１    打撃練習者がボール受けホッパーにボールを投げ入れるボールの軌道
２    ボール受けホッパー
３    導管
４    曲げ自在ホース
５    吊り掛け具
６    吊り輪
７    吊り紐
８    ボール
９    打撃練習者
【図１】
2011131028.tif 000003
(57)【要約】【課題】  従来の歯ブラシは柄部に穴があって金具等に掛け下げた。この場合、柄に付いた水滴がブラシ毛に付き、乾きが悪く衛生的にも毛にもよくなかった。また、蓋に穴の数個開いたコップ状の歯ブラシ立てがあるが、底に水が溜まり不衛生だった。さらに、他人の歯ブラシと間違えやすかった。  歯ブラシをコップに入れて収納する場合、底の浅いコップでは大きく傾き、見づらく不安定だった。コップを取り出すとき歯ブラシを落とす事があった。【解決手段】  歯ブラシの柄部にクリップを備え、コップの開口部に掛ける事により解決する。【選択図】図２
2011131031.tif 000002
【特許請求の範囲】
【請求項１】
歯ブラシの柄部にクリップを備えた事を特長としたコップ用クリップ付き歯ブラシ。
【請求項２】
クリップの先端が柄と反対側に角度をつけた事を特長とした請求項１に記載のコップ用クリップ付き歯ブラシ。
【請求項３】
電動歯ブラシにクリップを備える事を特長とした請求項１に記載のコップ用クリップ付き歯ブラシ。
【発明の詳細な説明】
【技術分野】
【０００１】  本発明は、歯ブラシに関するもので柄部にクリップを備えてコップに掛けて収納するものである。
【背景技術】
【０００２】  従来より歯ブラシは柄部に穴があり金具等に掛けていた。また、コップ状の器に数個の穴が開いた蓋があって、その穴に歯ブラシ柄部を差し込んで収納した。
【発明の開示】
【発明が解決しようとする課題】
【０００３】  柄部に穴の開いた歯ブラシはブラシ毛を下にして掛けるため、柄の水分がブラシ毛を濡らし乾きにくく衛生的にも毛にも良くなかった。また、蓋に穴の開いた器状の歯ブラシ立ては知らない間に底に水が溜まり不衛生だった。また、他の人の歯ブラシと間違えやすかった。単純にコップに歯ブラシを入れて収納する場合、底の浅いコップでは歯ブラシが大きく斜めに傾き、見づらく不安定で、コップを取りだす時歯ブラシを落とすこともあった。この課題を解決する。
【課題を解決する手段】
【０００４】  課題を解決するための請求項１の発明は歯ブラシの柄の部分にクリップを備えコップ開口部先端に掛ける事により、歯ブラシが落ちたり揺れたりすることがなくなることで安定した収納が可能になる。歯ブラシが垂直に立ち、水切りが良くなることで、乾きが良くなり衛生的である。また、ブラシ毛部分の乾きが良くなることでブラシ毛の寿命を長めることができる。
【０００５】  請求項２の発明は歯ブラシをコップ開口部に掛ける時、クリップが開きやすいように先端部に角度を付けた。（図１の符号４を参照）
【０００６】  請求項３は電動歯ブラシにクリップを備えた事。
【発明の効果】
【０００７】  歯ブラシがコップに垂直に立ち、見た目にも気持ちが良く水切りも良い。また、コップを取り出す時歯ブラシを落とす心配も無い。
自分自身のコップと歯ブラシが一体となり、他の人の歯ブラシと間違える事が少ない。
【発明を実施するための最良の形態】
【０００８】  図１に示すように、歯ブラシ１はクリップ２を備えている。クリップ２の付け根は様々なコップの厚みに対し４ミリ程度の間隔Ａが望ましい。【０００９】  また、図１に示すようにクリップ２の中程３はコップ５を挟み込むため狭まっている。さらに、先端部４はコップ５に掛ける際、開きやすいように外側に角度を付けた。【００１０】  クリップ２は歯ブラシ１の柄部と同様の素材で製造時に形成しても良い。
また、クリップ２を別に製造し、取り付けても良い。
【産業上の利用可能性】
【００１１】  本発明に関する歯ブラシは工業的に量産する事が可能であり、産業上の利用可能性を有する。
【図面の簡単な説明】
【００１２】
【図１】  歯ブラシの柄にクリップを備えた斜視図。
【図２】  歯ブラシを掛けたコップの断面図。
【符号の説明】
【００１３】  １    歯ブラシ本体
２    クリップ本体
３    クリップの中ほど
４    クリップの先端部
５    コップ
Ａ    柄部とクリップ間の距離
【図１】
2011131031.tif 000003
【図２】
2011131031.tif 000004
(57)【要約】【課題】  Ｚ折りハガキ圧着機に於いて、複雑な加圧コントロール装置を削除し、かつ加圧ローラー同士の衝突のくり返しによる機械的ダメージとぶつかり音を減少させる装置を提供する。【解決手段】  凹設することによって形成される隙間３を設けた上加圧ロール１と下加圧ロール２の上加圧軸４と下加圧軸５を左右両側でボルト４と５で締め付け固定することを特徴とする。【選択図】図１
2011131272.tif 000002
【特許請求の範囲】
【請求項１】
凹設した上加圧ロール１と下加圧ロール２の間に隙間３を形成し、上加圧軸４と下加軸５の両端を締め付け回転させ加工することを特徴とする、Ｚ折りハガキ圧着装置。
【発明の詳細な説明】
【技術分野】
【０００１】  本発明は、加圧によってのみ圧着され、また圧着後に剥離可能なＺ折りハガキを作成する圧着装置に関する物である
【背景技術】
【０００２】  すでに情報秘匿のための圧着ハガキはその利便性や封書に比べての経済性のため、広く普及しよりその用途は広がりつつある。それらに用いられるハガキは加圧によってのみ接着可能な、また接着後剥離できる接着剤があらかじめ塗布された後、パソコン等でも印字可能な用紙が用いられる。【０００３】  従来のＺ折りハガキ圧着機では、加圧ロールによるハガキ圧着に必要な加圧を得るには固定された下加圧ロールに対峙する上加圧ロールの移動が必要である。この上加圧ロールの機械的移動が必要であると言うことは、同時にそのコントロール機構を必要とする。（特許文献１・特許文献２）【０００４】
【特許文献１】特許平９−２１８２９９４
【特許文献２】特開２００７−９０３９６
【発明の概要】
【発明が解決しようとする課題】
【０００５】  上述したこれら圧着装置は次のような問題点がある。
（イ）適正加圧を得るために加圧コントロール装置が必要であり、その装置付設はコスト高となり、操作も一定の習熟が必要ある。したがって少量の例えば月１０〜１０００通程度の圧着ハガキ加工ですむ小企業や商店には不向きである。
（ロ）また加圧コントロール装置による調節が適正値より小さいと剥がれを起こし、大きすぎるとＺ折りハガキを開く時に破ける。
（ハ）また従来の加圧ロールではハガキ挿入時にハガキ厚み分ロールを押し上げ、排出時にその厚み分が解放され上下のロールがぶつかり合い、そのくり返しによって機械にダメージを与える。
（ニ）さらに上記くり返しの度に大きな衝突音を発生させる。それらを抑えるには別途その抑制装置を必要とし一層のコスト高を招く。（特許文献２）
【課題を解決するための手段】
【０００６】  上記課題を解決するための方策を検討した結果、本発明のＺ折りハガキ圧着装置を発明するに至った。
図１に示すように、ロールの両側を上加圧ロールが連動するように下加圧ロール２を摺接させたに時に、ハガキが加圧のため通過する部分に隙間３を形成するよう凹設されたロールを使うことを特徴とする。上記ロールを上加圧軸４と下加圧軸５の左右両側の軸中心を貫く左加圧ボルト６と右加圧ボルト７で締め付けた後、左ロックナット８及び右ロックナット９で固定し、ロールを回転することによって圧着させることを特徴とする。
【発明の効果】
【０００７】  凹設したロールによって対峙するロール間に隙間３を設けた加圧ロールの２軸をボルトで締め付ける事によって、複雑な加圧コントロール装置を削除でき、過不足が懸念される面倒な加圧調節が省ける。加圧コントロールの削除による、部品点数の削減によって製品コストを大幅に低減できる。図１は本発明による一実施形態による圧着装置の正面図の概略であるが、図に示される少数の部品によって基本構成がなされ商品化出来る。
商品出荷時に、すでに隙間３と加圧ボルトの締め付け度合いによって生じる軸のたわみ量によって適正加圧を得る本発明では、電源を入れると同時に手差しするだけでだれでも簡単に圧着出来る。しかも加圧不足によるハガキ圧着部の剥がれや、開封時に過圧着によるハガキの破れが避けられる。またハガキ圧着加工時にハガキがロールを押し上げる、また閉じる時の衝撃がその隙間３の分減勢し、機械のダメージと衝突音を減少できる。
【図面の簡単な説明】
【０００８】
【図１】  本発明の正面図である。
【図２】  本発明のＡ−Ａ線切断部端面図である。
【図３】  本発明の斜視図である。
【図４】  本発明のＢ−Ｂ線切断部端面図である。
【発明を実施するための最良の形態】
【０００９】  以下、本発明を実施するための最良の形態について説明する。
図３は本発明の一実施態様を示すＺ折りハガキ圧着装置の斜視図の概略である。
凹設した上加圧ロール１及び下加圧ロール２によってその対峙したロールの中間に隙間３を形成し、上加圧軸４及び下加圧軸５の左右両側の中心を貫く左加圧ボルト６と右加圧ボルト７を一定値までトルクレンチで締め付けた後固定する。
本発明は、以上のような構造である。これを実施するに当たっては、その隙間３を加圧時のＺ折りハガキ厚み１０より小さくすることによってのみ成り立ち、適正なトルクレンチの値は試圧着により簡単に求められる。
【符号の説明】
【００１０】  １  上加圧ロール
２  下加圧ロール
３  隙間
４  上加圧軸
５  下加圧軸
６  左加圧ボルト
７  右加圧ボルト
８  左ロックナット
９  右ロックナット
１０  加圧時ハガキ厚み
１１  Ｚ折りハガキ
【図１】
2011131272.tif 000003
【図２】
2011131272.tif 000004
【図３】
2011131272.tif 000005
【図４】
2011131272.tif 000006
(57)【要約】【課題】本発明は、溶接の半自動溶接等に於いて、溶接面へのズレによる不良を解消すると共に、ティーチング作業は不要とし、且つ自動の溶接技術を提供する。【解決手段】溶接治具体（３）に、テーブル（４）を設ける。さらにテーブル（４）の真下に接して電磁石（１）を設ける。そしてテーブル（４）の上の、電磁石（１）のＮ極側（５）に被溶接板Ａ（８）、電磁石（１）のＳ極側（６）に被溶接板Ｂ（９）とを装着する、高精度据付手段（１０）を設ける。また電磁石（１）の磁界ゼロ領域（２）に、ホールセンサー（７）を設ける。つぎにホールセンサー（７）が被溶接板Ａ（８）と被溶接板Ｂ（９）の溶接点（１２）に発生する、磁束密度（１３）を、検知して、半自動溶接トーチ（１４）等を、この溶接点（１２）に正確に誘導制御する、コントロール基盤（１５）を溶接機本体（１１）に設ける。【選択図】図２
2011131271.tif 000002
【特許請求の範囲】
【請求項１】
溶接治具体（３）に、テーブル（４）を設け、さらにテーブル（４）の真下に接して電磁石（１）を設け、そしてテーブル（４）の上の、電磁石（１）のＮ極側（５）に被溶接板Ａ（８）、電磁石（１）のＳ極側（６）に被溶接板Ｂ（９）とを装着させる、高精度据付手段（１０）を設ける、また電磁石（１）の磁界ゼロ領域（２）に、ホールセンサー（７）を設ける、つぎにホールセンサー（７）が被溶接板Ａ（８）と被溶接板Ｂ（９）の溶接点（１２）に発生する、磁束密度（１３）を、検知して、半自動溶接トーチ（１４）等を、この溶接点（１２）に正確に誘導制御する、コントロール基盤（１５）を溶接機本体（１１）に設ける、このような特徴より構成形成された、磁気センサーを利用した自動位置決め溶接装置。
【発明の詳細な説明】
【技術分野】
【０００１】  本発明は、被溶接物の突合わせ面の溶接作業に於いて、溶接点からトーチの位置が外れてしまうミスを解消するための半自動溶接等の技術に関するものである。
【背景技術】
【０００２】  従来、自動溶接等は予めロボットで手間の係るティーチング作業をやってから溶接を行っていた。
【発明の開示】
【発明が解決しようとする課題】
【０００３】  溶接面は溶接先端を線状に捉えて、その上を外さないようにして、溶接ビードを重ねて行く難易度の高い技術が必要である。特に溶接では、溶接点を外さない事は当たり前であるが、溶接品質を保つのには熟練したティーチングを要し難しかった。
これら問題点を改善するために本発明はなされたのである。
【課題を解決するための手段】
【０００４】  この課題を解決する手段として、溶接治具体（３）に、溶接加工板を乗せるテーブル（４）を設ける。つぎにこのテーブル（４）の真下に接して電磁石（１）を設ける。そしてテーブル（４）の上面の、電磁石（１）のＮ極側（５）に、被溶接板Ａ（８）を、またＳ極側（６）に、被溶接板Ｂ（９）をセットして装着させる為の、高精度据付手段（１０）を設ける。また電磁石（１）の磁界ゼロ領域（２）に、ホールセンサー（７）を設ける。つぎにホールセンサー（７）が、被溶接板Ａ（８）と被溶接板Ｂ（９）の溶接点（１２）に発生する磁束密度（１３）を検知して、半自動溶接トーチ（１４）等を、この溶接点（１２）に正確に誘導制御する、コントロール基盤（１５）を溶接機本体（１１）に組付けて設ける。
本発明は以上のような構成より形成された、磁気センサーを利用した自動位置決め溶接装置である。
【発明の効果】
【０００５】  溶接点（１２）に介在する、磁界の磁束密度（１３）をホールセンサー（７）が、検知して、半自動溶接トーチ（１４）等を溶接点（１２）に誘導するので、ティーチング作業は要らずに、即、自動溶接作業が達成出来るので、熟練作業者でなくても容易に溶接ができる、画期的な溶接装置である。
【発明を実施するための最良の形態】
【０００６】  本発明は、電磁石により発生する磁界の磁束密度（１３）を検知して、つまり磁界ゼロ領域（２）に磁気センサーの１つである、ホールセンサー（７）を設けて、これに磁性体を近づけると、微小電圧が起こる。この電圧を捕らえたホールセンサー（７）からの信号を、溶接する半自動溶接トーチ（１４）等を制御する回路に、送り込めば溶接点（１２）に対して、的確に溶接させるアプローチになる。以下、ベストモードを説明する。【０００７】  溶接治具体（３）に、溶接加工板を乗せる、主に薄めのステンレス材質のテーブル（４）を設ける。つぎに、このテーブル（４）の真下に接して電磁石（１）を設ける。そしてテーブル（４）の上面の、電磁石（１）のＮ極側（５）に、鉄板などの被溶接板Ａ（８）を、またＳ極側（６）に、鉄板などの被溶接板Ｂ（９）をセットして装着させる為の、高精度据付手段（１０）を設ける。この高精度据付手段（１０）は、溶接加工板等を正しく溶接出来るように、位置セットするものであり、電磁石（１）に電流が流されると、溶接加工板と共に磁石で固定するものである。また電磁石（１）の磁界ゼロ領域（２）に、ホールセンサー（７）を設ける。つぎにホールセンサー（７）が、被溶接板Ａ（８）と被溶接板Ｂ（９）の突き合わせた、溶接点（１２）に発生する磁束密度（１３）を検知して、半自動溶接トーチ（１４）等を、この溶接点（１２）に正確に誘導制御する、コントロール基盤（１５）を溶接機本体（１１）に組付けて設ける。【０００８】  本発明は以上のような構成であり、これを使用せんとするときには、溶接突合わせ面に沿うて、半自動溶接等を行う事になるが、まず被溶接板Ａ（８）および被溶接板Ｂ（９）を高精度据付手段（１０）にセットする。つぎに電磁石（１）に電気を流し磁石にすると同時に、溶接機の電源を入れて溶接トーチを溶接点（１２）に持って行く。これだけで後は、溶接する突合わせ面の溶接点（１２）を自動誘導で、溶接される。
【図面の簡単な説明】
【０００９】
【図１】    本発明の斜視図である。
【図２】    本発明の装置断面図である。
【符号の説明】
【００１０】      １．電磁石
２．磁界ゼロ領域
３．溶接治具体
４．テーブル
５．Ｎ極側
６．Ｓ極側
７．ホールセンサー
８．被溶接板Ａ
９．被溶接板Ｂ
１０．高精度据付手段
１１．溶接機本体
１２．溶接点
１３．磁束密度
１４．半自動溶接トーチ
１５．コントロール基盤
【図１】
2011131271.tif 000003
【図２】
2011131271.tif 000004
(57)【要約】【課題】  鉄鋼スラグ、脱硫排水等の廃棄物より水酸化マグネシウムを作製する。【解決手段】  火力発電所等の水酸化マグネシウムを原材料として設置されている湿式排煙脱硫装置において、二酸化イオウガスを吸収し系外に排出している硫酸マグネシウム溶液と、鉄鋼スラグ中に含まれる酸化カルシウム、水酸化カルシウムとを反応させ、水酸化マグネシウムを作製し、排煙脱硫装置の原材料、金属マグネシウム作製等の原材料として有効利用する。【特許請求の範囲】
【請求項１】
火力発電所等の重油、石炭を燃焼させるボイラーから発生する排ガス中に含まれる二酸化硫黄（ＳＯ２）ガスを吸収除去するために、水酸化マグネシウム（Ｍｇ（ＯＨ）２）を原材料として使用し設置されている湿式排煙脱硫装置において、二酸化イオウ（ＳＯ２）ガスを吸収し系外に排出している硫酸マグネシウム（ＭｇＳＯ４）溶液と、鉄鋼スラグ中に含まれる酸化カルシウム（ＣａＯ）、水酸化カルシウム（Ｃａ（ＯＨ）２）とを反応器で反応させ、水酸化マグネシウム（Ｍｇ（ＯＨ）２）を作製し、これを取り出し活用することを特徴とする水酸化マグネシウム（Ｍｇ（ＯＨ）２）（水マグ）作製法とその装置。
【発明の詳細な説明】
【技術分野】
【００１】  本発明は、鉄鋼スラグと湿式排煙脱硫装置からの廃棄物から水酸化マグネシウム（Ｍｇ（ＯＨ）２）（水マグ）を精製し有効活用することに関するものである。
【背景技術】
【００２】  従来、海水に微量に溶解している塩化マグネシウム（ＭｇＣｌ２）等の水溶液と水酸化ナトリウム（ＮａＯＨ）などの高価な塩基水溶液を反応させることによって作製していた。
【発明が解決しようとする課題】
【００３】  そのために、次のような問題点があった。
（イ）上記、水酸化マグネシウム（Ｍｇ（ＯＨ）２）を作製させるための原材料である水酸化ナトリウム（ＮａＯＨ）は、通常、海水の電気分解によって作製されるため、多量の電気を消費し、設備も大掛かりなため生産コストが高く、湿式排煙脱硫装置のアルカリ剤として利用したり、金属マグネシウム（Ｍｇ）を作製するための原材料として利用するには高価なため採算に合わないという問題点があった。
（ロ）そのため、廃棄物として処理している鉄鋼スラグと、湿式排煙脱硫装置から排水として排出される硫酸マグネシウム（ＭｇＳＯ４）を反応させ精製作製することによって、従来の水酸化マグネシウム（Ｍｇ（ＯＨ）２）を生産するコストが非常に高いという問題点を解決するためになされたものである。
【課題を解決するための手段】
【００４】  水酸化マグネシウム（Ｍｇ（ＯＨ）２）を原材料として使用している湿式排煙脱硫装置から排ガス中の二酸化イオウ（ＳＯ２）を吸収反応した硫酸マグネシウム（ＭｇＳＯ４）溶液と、鉄鋼スラグ中の酸化カルシウム（ＣａＯ）、水酸化カルシウムＣａ（ＯＨ）２とを反応器内で反応させ、水酸化マグネシウム（Ｍｇ（ＯＨ）２）を生成させ、これを分離して利用する。
【発明の効果】
【００５】（イ）上記のように水酸化マグネシウムを作製する原材料の酸化カルシム、水酸化カルシウム、硫酸マグネシウムは総て廃棄物として処理されているものを再利用し、作製コストを非常に安くするという効果がある。
（ロ）作製された水酸化マグネシウムは、湿式排煙脱硫装置の原材料として利用でき、硫酸マグネシウムを生成するので、これを本件の水酸化マグネシウムを作製する原材料として再利用できる。
（ハ）水酸化マグネシウムを原材料とした湿式排煙脱硫装置は、石灰石石膏法の排煙脱硫装置のように原材料から分解した二酸化炭素ガスを発生する湿式排煙脱硫装置とは異なり、水酸化マグネシウムを二酸化炭素ガスが発生しない二酸化イオウ吸収剤として利用できるという効果がある。
【発明を実施するための最良の形態】
【００６】  以下、本発明の実施の形態について説明する。酸化カルシウム（ＣａＯ）、水酸化カルシウム（Ｃａ（ＯＨ）２）、酸化マグネシウム（ＭｇＯ）、水酸化マグネシウム（Ｍｇ（ＯＨ）２）、酸化シリカ（ＳｉＯ２）、酸化アルミニウム（Ａｌ２Ｏ３）等を含む鉄鋼スラグの塊状物質を粉砕したものと、水酸化マグネシウム（Ｍｇ（ＯＨ）２）を吸収剤とした湿式排煙脱硫装置から生成した硫酸マグネシウム（ＭｇＳＯ４）水溶液を反応器に入れ、攪拌反応させ下記の反応によって、コロイド状の水酸化マグネシウム（Ｍｇ（ＯＨ）２）を生成させ、脱水機、水中での沈降分離等によって、水酸化マグネシウム（Ｍｇ（ＯＨ）２）とその他の固定物と分離して利用する。
（イ）ＣａＯ＋Ｈ２Ｏ→Ｃａ（ＯＨ）２
（ロ）Ｃａ（ＯＨ）２＋ＭｇＳＯ４＋２Ｈ２Ｏ→Ｍｇ（ＯＨ）２＋ＣａＳＯ４・２Ｈ２Ｏ
(57)【要約】【課題】本発明は、ＰＰ（ポリプロピレン）等の合成樹脂で出来た弾力性の有るクリアホルダーの略中央の横及び縦に直線状に一定間隔で刳り貫いた貫通穴を開け、二つ折や四つ折が簡単に綺麗に出来る様にした発明である。従来のクリアホルダーは、弾力性が有る為、折り畳む事が困難であったが本発明がそれを可能にした。【手段】クリアホルダーを折り畳む折り目部に一定間隔で多数の刳り貫いた貫通穴を開ける。クリアホルダーの中央横方向に設ければ二つ折が可能となり、更に、中央縦方向に設ければ四つ折が可能となる。又、上記の折り目は、様々な方向や位置に設ける事により様々な折り畳み形態が可能となる。【選択図】図１
2011131567.tif 000002
【特許請求の範囲】
【請求項１】
ＰＰ（ポリプロピレン）等の合成樹脂で出来たクリアホルダーの折り曲げる部分の折り目部に端から端まで略一定間隔で刳り貫いた貫通穴を設ける。
【請求項２】
クルアホルダーの中央横線上に請求項１の穴を設ければ上下２つ折りが可能となり、又、中央縦線上に請求項１の穴を設ければ縦２つ折りが可能となる。
そして、横及び縦の両方の中央線上に請求項１の穴を設ければ横縦の４つ折りが可能となる。
【請求項３】
クルアホルダーに設ける請求項１の穴は横水平及び縦垂直のみで無く、斜めや曲線、及び縦横複数の様々な形態に設ければ様々な折り畳みが可能となる。
【請求項４】
クリアホルダーに設ける請求項１の穴は、円形状だけでなく、角状や様々な形状でも可能である。
【発明の詳細な説明】
【技術分野】
【０００１】  本発明は、簡単にきれいに折り畳みの出来るクリアホルダーに関するものである。
【背景技術】
【０００２】  従来のクルアホルダーと呼ばれる物は、厚さ０．２ｍｍ程度のＰＰ（ポリプロピレン）等の合成樹脂製のシートを２枚重ね合わせ、上部と左右の片側を開放した封筒状で出来ていて書類等の出し入れや保管がし易くなっている。
全体が透明な物や、一部又は全体が絵や写真等でプリントされた物等がある。
全体に弾力性が有り、書類等を入れても略平面状に保たれる事や、透明の物は中が見えるので保管や整理にも適している。
【発明の開示】
【発明が解決しょうとする課題】
【０００３】  クリアホルダーは、一般的にＡ４サイズの物が多用されているが、これ等を収納して持ち運ぶには弾力性が有る為、上手く折り畳む事が出来ず通常はホルダーのサイズ以上のバックやカバン等に収納していた。無理に折り畳んで収納した場合、折り目が大きく膨らんで、かさ張るか、強く折ると折り目部分でホルダー自体が変形（塑性変形）してしまいホルダーが復元しなくなる不具合が有り利用の範囲を広げる支障になっていた。
本発明は、これらの問題を解決する為に考案されたものである。
【問題を解決するための手段】
【０００４】  クリアホルダーを折り畳む折り目部に端から端まで一定間隔で多数の刳り貫いた貫通穴を設ける。
クリアホルダーの中央横線上に穴を設ければ上下二つ折りが可能となり、更に、中央縦線上に設ければ横縦の四つ折りが可能となる。
又、本案による折り目は、様々な位置に設ける事により、様々な折り畳み形態が可能となる。
本発明は、以上の構造よりなる、折り畳みのできるクリアホルダーである。
【発明の効果】
【０００５】  ＰＰ（ポリプロピレン）等の合成樹脂製クリアホルダーは、弾力性が有る為、折り畳んで使用するには適さないが、何かの都合で折り畳む場合、折り目部に強い力を加える必要が有り、その際折り目部が塑性変形してしまい易く、開く際、曲げぐせが付き元に戻らない不具合が有った。
本発明は、折り曲げる折り目部の端から端まで一定間隔で刳り貫いた貫通穴を設ける事により、折り目部の材料が穴の占有分だけ削減され、又、折り目部は穴間の狭い繋ぎ部の連続形態となる為、折り目部の弾力が軽減され、折り目部で容易に折り曲げる事が出来る。
従って、折り目部に強い力が掛からない為、折り目部の塑性変形を最小限に防ぐ事が出来、繰り返しの折り曲げにも復元力が維持され、開いた時、略、元の平面に戻る。
折り目や皺をあまり付けたくない書類等を小さなバックや衣類のポケットに収納する際、本発明品を用いれば最適である。
【発明を実施するための最良の形態】
【０００６】  以下、本発明の実施の形態を説明する。
（イ）  ＰＰ（ポリプロピレン）等の合成樹脂からなるクリアホルダー（１）に折り目となる部分（４）に端から端まで一定間隔で刳り貫いた大豆大程度の貫通穴（２）を設ける。
（ロ）  穴と穴の間隔は、狭い程、折り曲げる際の力や折り目部の膨らみも小さくなり、綺麗にそして楽に折り畳む事が出来るが、復元力は減少し、開いた時の平面への戻りは弱くなる。その反対に穴間が広いと折り畳む際、復元力が強く折り畳むと膨らみが多少大きくなるが、開くとき瞬時に略、元の平面に復元する。用途別に穴部の設計をするとよい。
（ハ）  穴と穴の間隔（３）は、通常、穴のサイズ大（２）から半分程度が最適である。
本発明は以上の構成よりなる。
本発明を使用する場合は、本発明のクリアホルダーの穴を開けた折り目部を中心として折り畳む。折り目部に多少の膨らみが出るが無理に押し潰さない方が復元力が長く保たれる。
【図面の簡単な説明】
【０００７】
【図１】本発明の斜視図
【図２】本発明の正面図
【図３】本発明の折り目部拡大
【図４】本発明の実施例図（二つ折）
【図５】本発明の実施例図（四つ折）
【符号の説明】
【０００８】  （１）クリアホルダー  （２）貫通穴  （３）穴と穴の間隔  （４）折り目部
【図１】
2011131567.tif 000003
【図２】
2011131567.tif 000004
【図３】
2011131567.tif 000005
【図４】
2011131567.tif 000006
【図５】
2011131567.tif 000007
(57)【要約】【課題】このＤＶＤは光の採集特に難しい、ＣＤの上写真奇麗に映るはかなりの時間掛かります。小学生の向けの原本をこれから作り出します。【解決手段】このリサイクルのＣＤをＤＶＤの出上がりを皆様に技を教えます。これより皆様の輿望に応えます。【選択図】図１
2011131566.tif 000002
【特許請求の範囲】
【請求項１】
先ず、ＣＤを光のあたる所でデジタルカメラで写真を撮る、その光がＣＤの上に模様が出てきます、必ず光の多いの所採取して、特別な技で、写真を操作、何か出てくるのが永遠に分かりません。しかし、私達の努力の末、世界のオリジナル作品がアートの様にこの世に出世、驚くほど綺麗い、幻い。これからは色々の分野で活躍出来ます。
【発明の詳細な説明】
【技術分野】
【０００１】この発明はすべての家庭、人類、生命、動物等など深い関する。
【背景技術】
【０００２】  このＤＶＤはデジタルカメラで、ＣＤの上で写真を撮る。必ず光の模様が採取するのことで、写真の表面が世界の初の発明、オリジナルの作品になります。【０００３】  ＤＶＤの中一つ一つのアートの写真が、自然、舞台、物体、時間の変化で、幻の芸術が生み出します。【０００４】  このＤＶＤの中は、私達の心込めてアートの写真、すべて技術の高い要る、多くの手法が必要  普通の写真に見えないような３Ｄにも映れます。
【発明の概要】
【０００５】初めは趣味で写真の楽しみ。今年の２００９年２月２２の日午後３時４０分ごろ、突然眩しいの色が家の中入り、綺麗な色でびっくりしました。あまりにも綺麗で写真を撮りました。
このとき、突然の発想：それからＣＤの上で写真を撮り。挑戦したところで、幻しいの光が出来、色々操作をしてアードの様な模様が出来、そのうえ骨堂品な様な作品つきからつき創り、世界始めネオン付きの写真を発明しました。このような技を見つけ、世界のアードの写真や美術品、テレビ、コマシャル、映画、ブランド品で活躍して願います。
こういう全てネオン付きの写真はコントラストが美しい、ダイヤモンド、ルビ、エメラル、宝石様な輝き、飾りにも心が癒され、介護にも期待が高い、人類の命を助けるに違いない。
経済効果は予想付かないど思います。
２００９年４月７日知的所有権で著作権登録しました。番号は：２５２３３３４
【０００６】以上に述べた従来のアート光のＤＶＤでは世界の人々愛され、今まで見たことのない写真がこの世に出ました！奇跡です！世紀の発見です！
【０００７】  本発明は幻の光が主に、鮮やかな色が絞り出す、この光が老人ホームや、敬老院、建築、ファッション界、様々の分野で大きい役に期待します。
【０００８】この発明は上記の目的を達成するために特別な技術で形成したので、それほど難しくないです、しかし、私が発見した。誰にも想像出来ない範囲で、我々は一歩先でした。今まで無いのアートの写真です。
【０００９】この作品は最高の芸術に違いない。今世紀これ以上美のアート写真は出来ない。一つ一つの作品そのものがトラまです。涙がでるほと感動するの芸術品です。こんなにも皆様に感動したの写真は今まで少ないと思います。
【００１０】  早くにもこの素晴らしい、感動されるの作品を通して、世界の人々に早くに見せたいのが今の一番の願いです。それから世界の平和の時代来るように、皆んなの友愛の精神で文化の魂を歌えましょう。このＤＶＤの力で日本の経済にも良い影に与えるように祈ります。
【図面の簡単な説明】
【００１１】
【図１】本来のＣＤはただ歌を聴いてるでけ、映像の鑑賞で終わり。誰にも再役立の機能想像もできなかった。しかし、私達このリサイグルのＣＤを光のあたる所で写真を撮るのことで、世界の人に驚かしたアートの写真見せました。その光がＣＤの上に自由自在踊り、想像も付かないの模様が出てきました。
【図１】
2011131566.tif 000003